(57)【要約】      （修正有）【課題】施工現場において優れた作業性が得られ、また施工期間の短縮、安全性の向上が図れる小口止めブロックユニット及び小口止め壁構造を提供する。【解決手段】一対の前側側壁１２，１３と前壁１１とを有する前ブロック１と、一対の後側側壁２２，２３と後壁２１とを有する後ブロック２と、一対の中間側壁３１，３２と接続部３３とを有する中間ブロック３とを備え、前ブロック１と後ブロック２とを、一対の前側側壁１２，１３の他方の端部と、後ブロック２の一対の後側側壁２２，２３の他方の端部とが当接するように連結する、又は、前ブロック１の一対の前側側壁１２，１３の他方の端部と、後ブロック２の一対の後側側壁２２，２３の他方の端部との間に、１個又は２個以上の中間ブロック３の一対の中間側壁３１，３２を挿入し連結することにより前壁１１と後壁２１との間隔を調整可能とした。【選択図】図４
2020060006.tif 000002
【特許請求の範囲】
【請求項１】
所定間隔を空けて対向配置された一対の前側側壁と、該一対の前側側壁の対向する方向に対して垂直な方向の該一対の前側側壁の一方の端部同士を接続する前壁とを有する前ブロックと、
所定間隔を空けて対向配置された一対の後側側壁と、該一対の後側側壁の対向する方向に対して垂直な方向の該一対の後側側壁の一方の端部同士を接続する後壁とを有する後ブロックと、
所定間隔を空けて対向配置された一対の中間側壁と、該一対の中間側壁同士を接続する接続部とを有する中間ブロックと、
を備え、
前記前ブロックと前記後ブロックとを、前記一対の前側側壁の他方の端部と、前記後ブロックの一対の後側側壁の他方の端部とが当接するように連結する、
又は
前記前ブロックの前記一対の前側側壁の他方の端部と、前記後ブロックの一対の後側側壁の他方の端部との間に、１個又は２個以上の前記中間ブロックの前記一対の中間側壁を挿入し連結する、
ことにより前記前壁と前記後壁との間隔を調整可能としたことを特徴とする小口止めブロックユニット。
【請求項２】
前記前ブロックと前記後ブロックとが同一形状のブロックであって、前後反転して配置可能である請求項１記載の小口止めブロックユニット。
【請求項３】
前記前ブロックの前記前壁の前面が割裂状である請求項１又は２記載の小口止めブロックユニット。
【請求項４】
前記請求項１〜３のいずれかに記載の小口止めブロックユニットを基礎上に所要段数に積み上げた小口止め壁構造であって、
各々の段の最も前側に前ブロックが配置され、最も後側に後ブロックが配置され、各々の段の前記前壁から前記後壁までの長さが所望長さとなるよう前ブロックと後ブロックとの間に中間ブロックが必要により挿入され、
前記前壁と、前記後壁と、前記一対の前側側壁と、前記一対の後側側壁と、前記一対の中間側壁とで形成される空洞部にコンクリートが胴込めされていることを特徴とする小口止め壁構造。
【発明の詳細な説明】
【技術分野】
【０００１】
本発明は小口止めブロックユニット及びそれを用いた小口止め壁構造に関するものである。
【背景技術】
【０００２】
ブロック積み擁壁などの構造物の両端が浸食され破壊されるのを防護するためにコンクリートなどからなる小口止め壁が設けられている。従来、小口止め壁の構築は施工現場において、法面勾配に沿って床堀して堀削部を介して基礎部を造作し、基礎部の上面に板材等によって型枠を組み立て、この型枠内にコンクリートを流し込んで養生・固化させた後型枠を外すことによって行われていた。
【０００３】
ブロック積み擁壁の施工現場は重機などの作業用機械を容易に搬入できる所とは限らず、山間地や不整備地であることも少なからずある。このため、小口止め壁を含むブロック積み擁壁などの構築には、作業性の向上、施工期間の短縮が望まれていた。また、小口止め壁は正面から見て左右幅が３０ｃｍ程度であるにもかかわらずその高さは最高で５ｍにもなり、型枠を組んでコンクリートを打設する施工方法では不安定で安全性の観点からも改善が望まれていた。
【０００４】
そこで特許文献１には、前面側に配置されるプレキャストコンクリートブロックと、背面側に配置されるプレキャストコンクリートブロックとがアンカーを介して鉄筋で結束され、前面側のブロックと背面側のブロックの側面間が、対向配置された一対の側板で接続される小口止めブロックが記載されている。そして、法面勾配及び側壁面勾配に合わせて前面側のブロックと背面側のブロックとの間隔を調整しながらブロックを積み上げ、前面側のブロックと背面側のブロックと一対の側板とで囲まれた空間に生コンクリートを流し込み打設する技術が開示されている。
【０００５】
また特許文献２には、上下面開口のボックス形ブロックであって、前面部から後面部までの長さが異なる複数種類の小口止めブロックを準備し、小口止め壁の下側には前面部から後面部までの長さの長いブロックを設置し、ブロックを積み上げるにしたがって前記長さの短いブロックを用いて小口止め壁を作製する技術が開示されている。
【０００６】
そしてまた特許文献３には、間隔を空けて対向する一対の側面部と、一対の側面部の対向する方向に垂直な方向の一対の側面部の一方の端部同士を接続する前面部と、一対の側面部の他方の端部よりも前記前面部側で一対の側面部同士を接続し、前面部と間隔を空けて対向する中間部とを備え、前面部の表面が所定の形状・形態・明度を有する小口止めブロックが開示されている。
【先行技術文献】
【特許文献】
【０００７】
【特許文献１】特開２０１４−１５６７５６号公報
【特許文献２】特開平０１−１７４４３９号公報
【特許文献３】特開２０１６−３７７２２号公報
【発明の概要】
【発明が解決しようとする課題】
【０００８】
しかしながら、特許文献１の小口止めブロックでは、施工現場において前面側ブロックと背面側ブロックとの間隔を調整し鉄筋で結束する作業、及び間隔が調整された前面側のブロックと背面側のブロックの側面間を一対の側板で囲う作業が必要となる。
【０００９】
また特許文献２の小口止めブロックでは、前面部から後面部までの長さの異なる複数種類の小口止めブロックを準備しなければならず小口止めブロックの生産効率が悪い。また、小口止めブロックの長さの種類が少ないと施工現場での作業性が落ちるおそれがある。
【００１０】
また特許文献３の小口止めブロックでは中間部よりも背面側が開放されているため、小口止め壁を形成する場合に裏込めコンクリートを流し込む際には、小口止めブロックの中間部よりも背面側に、板材等によって四方を囲うように型枠を組み立てる必要があると考えられ施工現場での作業性の向上が図れないおそれがある。
【００１１】
そこで本発明はこのような従来の問題に鑑みてなされたものであり、その目的は、施工現場において優れた作業性が得られ、また施工期間の短縮、安全性の向上が図れる小口止めブロックユニット及び小口止め壁構造を提供することにある。
【課題を解決するための手段】
【００１２】
前記目的を達成する本発明に係る小口止めブロックユニットは、所定間隔を空けて対向配置された一対の前側側壁と、該一対の前側側壁の対向する方向に対して垂直な方向の該一対の前側側壁の一方の端部同士を接続する前壁とを有する前ブロックと、所定間隔を空けて対向配置された一対の後側側壁と、該一対の後側側壁の対向する方向に対して垂直な方向の該一対の後側側壁の一方の端部同士を接続する後壁とを有する後ブロックと、所定間隔を空けて対向配置された一対の中間側壁と、該一対の中間側壁同士を接続する接続部とを有する中間ブロックとを備え、前記前ブロックと前記後ブロックとを、前記一対の前側側壁の他方の端部と、前記後ブロックの一対の後側側壁の他方の端部とが当接するように連結する、又は、前記前ブロックの前記一対の前側側壁の他方の端部と、前記後ブロックの一対の後側側壁の他方の端部との間に、１個又は２個以上の前記中間ブロックの前記一対の中間側壁を挿入し連結することにより前記前壁と前記後壁との間隔を調整可能としたことを特徴とする。
【００１３】
前記構成において、前記前ブロックと前記後ブロックとを同一形状のブロックとし、前後反転して配置可能である構成としてもよい。
【００１４】
また前記構成において、前記前ブロックの前記前壁の前面が割裂状である構成としてもよい。
【００１５】
また本発明によれば、前記のいずれかに記載の小口止めブロックユニットを基礎上に所要段数に積み上げた小口止め壁構造であって、各々の段の最も前側に前ブロックが配置され、最も後側に後ブロックが配置され、各々の段の前記前壁から前記後壁までの長さが所望長さとなるよう前ブロックと後ブロックとの間に中間ブロックが必要により挿入され、前記前壁と、前記後壁と、前記一対の前側側壁と、前記一対の後側側壁と、前記一対の中間側壁とで形成される空洞部にコンクリートが胴込めされていることを特徴とする小口止め壁構造が提供される。
【発明の効果】
【００１６】
本発明の小口止めブロックユニットによれば、施工現場における作業性が向上し、また工事期間の短縮化が図れ、さらには安全性の向上が図れる。
【図面の簡単な説明】
【００１７】
【図１】前ブロックの正面図、上面図、右側面図である。
【図２】中間ブロックの正面図、上面図、右側面図である。
【図３】後ブロックの正面図、上面図、右側面図である。
【図４】小口止めブロックユニットの組み立て例を示す上面図である。
【図５】本発明の小口止めブロックユニットを用いた小口止め壁構造の一例を示す垂直断面図である。
【発明を実施するための形態】
【００１８】
以下、本発明に係る小口止めブロックユニット（以下、「ブロックユニット」と記すことがある。）について図に基づいて詳細に説明する。なお、本発明はこれらの実施形態に何ら限定されるものではない。
【００１９】
（前ブロック）
図１（ａ），（ｂ），（ｃ）に、本発明に係るブロックユニットＵの前ブロック１の正面図、上面図、右側面図を示す。なお、本明細書における「前後方向」、「左右方向」、「上下方向」は図中に示す方向をいうものとする。
【００２０】
図１に示す前ブロック１は、左右方向に所定間隔を空けて対向配置された一対の側壁１２、１３と、側壁１２，１３の前側端同士を接続する前壁１１とを有し、一対の側壁１２，１３と前壁１１とはコンクリート材で一体に成形されている。一対の側壁１２，１３及び前壁１１の上端面及び下端面はそれぞれ平行な同一平面上に位置付けられている。また、図１（ｂ）に示すように、一対の側壁１２，１３の対向する内壁面１２１，１３１は、後方向に向かって互いに離れる方向に傾斜している。すなわち、各々の側壁１２，１３は、厚さ（左右方向の長さ）が前側から後側に向かって徐々に薄くなる形状を有している。そして、一方の側壁１２の後端面１２２の左右方向中央部には水平断面が略半円状の溝部１２３が上端から下端まで連続して設けられている。また、他方の側壁１３の後端面１３２の左右方向中央部には水平断面が略半円状の突条１３３が上端から下端まで連続して設けられている。この溝部１２３の内形と突条１３３の外形とは略同一形状とされ係合可能とされている。後述するように、前ブロック１と後ブロック２又は中間ブロック３とを前後方向に連結する際に、側壁１２，１３に形成された溝部１２３と突条１３３と用いて連結させることによって位置決めが容易となると共に、ブロック同士を前後方向に隙間なく連結することが可能となる。
【００２１】
前壁１１の前面１１１は割裂状とされている。前面１１１を割裂状とすることによって偶発的な明度差（グラデーション）が発現し、これまでの小口止め壁のような単一色ではなく自然石に見られるような自然で違和感のない色の変化が実現される。前壁１１の前面１１１をこのような割裂状とするには、例えば前壁１１同士を接合させた２つのブロックを製造し、前壁１１同士の接合部分の中央に上下方向又は／及び左右方向から刃状部材で衝撃力を加え割断すればよい。このような製造方法としては特開２０００−３１９９０８号公報の製造方法を用いることができる。もちろん、前壁１１の前面１１１は滑面状あるいは粗面状であっても構わない。
【００２２】
このような前ブロック１は、例えば、前ブロック１の形状を溝型とした型枠にコンクリート材を流し込み、振動圧縮、養生、固化させることに作製することができる。なお、前壁１１の前面１１１を割裂状とする場合は、上記のように作製された２つのブロックが接合された接合ブロックを割断する工程が付加される。
【００２３】
前ブロック１の材質としてのコンクリート材は、セメント、水、細骨材、粗骨材、混和材料などを所定比率で混合したものが好適に使用される。
【００２４】
前ブロック１の大きさ及び形状に特に限定はないが、上下方向に積み上げる構造上の必要性から正面視において正方形又は長方形であるのが望ましい。また、作業者による運搬を考慮するとその重量は約４０ｋｇ以下とするのが望ましい。このような重量制限及び強度などの観点から、前壁１１の厚み（前後方向の長さ）は前ブロック１の前後方向の長さに対して２５％以上３５％が好ましい。また側壁１２，１３の厚み（左右方向の長さ）は前ブロック１の左右方向の長さに対して２０％以上３０％以下以下が好ましい。図１に示す前ブロック１では、左右長さ３００ｍｍ、上下長さ２８０ｍｍ、前後長さ２６０ｍｍに設定されている。また、前壁１１の厚み（前後方向の長さ）は７６ｍｍ、側壁１２，１３の最大厚み及び最小厚みは８４ｍｍ及び６３ｍｍに設定されている。
【００２５】
（中間ブロック）
図２（ａ），（ｂ），（ｃ）に、本発明に係るブロックユニットＵの中間ブロック３の正面図、上面図、右側面図を示す。
【００２６】
図２に示す中間ブロック３は、左右方向に所定間隔を空けて対向配置された一対の側壁３１，３２と、一対の側壁同士３１，３２を前後方向中央で接続する接続部３３とを有し、一対の側壁３１，３２と接続部３３とはコンクリート材で一体に成形されている。図２（ａ）に示すように、一対の側壁３１の上端面３１１と側壁３２の上端面３２１、及び側壁３１の下端面３１２と側壁３２の下端面３２２とはそれぞれ平行な同一平面上に位置付けられている。
【００２７】
一方の側壁３１の前端面３１３の左右方向中央部には水平断面が略半円状の突条３１４が上端から下端まで連続して設けられ、側壁３１の後端面３１５の左右方向中央部には水平断面が略半円状の溝部３１６が上端から下端まで連続して設けられている。
【００２８】
他方の側壁３２の前端面３２３の左右方向中央部には水平断面が略半円状の溝部３２４が上端から下端まで連続して設けられ、側壁３２の後端面３２５の左右方向中央部には水平断面が略半円状の突条３２６が上端から下端まで連続して設けられている。
【００２９】
これらの突条３１４，３２６の外形と溝部３１６，３２４の内形とは、前ブロック１の突条１３３の外形と溝部１２３の内形と同様に、略同一形状で係合可能とされており、中間ブロック３と前ブロック１、中間ブロック３と後ブロック２、及び中間ブロック３同士を前後方向に連結する際に、各々の側壁に形成された突条と溝部とを連結させることによって位置決めが容易となると共に、ブロック同士を前後方向に隙間なく連結することが可能となる。
【００３０】
なお、中間ブロック３の一対の側壁３１，３２の前後方向両端面に設ける突条３１４，３２６及び溝部３１６，３２４は、一つの側壁の前端面及び後端面の一方に突条を他方に溝部を設け、且つ、一対の側壁３１，３２の左右方向に向かい合う端面の一方に突条を他方に溝部を設けるのが望ましい。すなわち、図２（ｂ）の上面図において、中間ブロック３の一対の側壁３１，３２の前後方向両端面に設けられる突条３１４，３２６及び溝部３１６，３２４が、中間ブロック３の接続部３３の左右方向及び前後方向の中央を中心として点対称となるよう設けるのが望ましい。これにより、中間ブロック３を前後方向を逆にしても（１８０度回転）同一形状となり施工現場におけるブロックユニットＵの組み立て作業が容易になる。なお、図２に示す実施形態では、突条３１４，３２６及び溝部３１６，３２４は上端から下端まで連続して設けられているが、突条３１４，３２６及び溝部３１６，３２４は断続的に設けてもよい。あるいは上下方向に所定間隔で形成した係合突起及び係合孔の形態としてもよい。
【００３１】
中間ブロック３の接続部３３は側壁３１と側壁３２とを、前後方向中央で且つ上下方向中央よりも上側で接続する。接続部３３の上面３３１及び下面３３２は正面視において略半円状とされている。中間ブロック３の強度及び後述する胴込めコンクリートの充填性などの観点から、接続部３３の上下方向最短部の長さＬｓは側壁３１，３２の上下方向長さに対して３５％以上６０％以下であるのが好ましい。また接続部３３の前後方向の長さＬｙは前後方向長さに対して３０％以上５０％以下であるのが好ましい。なお、接続部３３の上下方向位置は一対の側壁３１，３２の上下方向中央部を含め他の位置であっても構わない。
【００３２】
このような形状の中間ブロック３は、前ブロック１と同様に、中間ブロック３３の形状を溝型とした型枠にコンクリート材を流し込み、振動圧縮、養生、固化させることに作製することができる。
【００３３】
中間ブロック３の左右方向及び上下方向の各々の長さは、前ブロック１及び後ブロック２の左右方向及び上下方向の長さと同一に設定する。本実施形態では左右長さ３００ｍｍ、上下長さ２８０ｍｍである。一方、中間ブロック３の前後方向の長さは適宜設定すればよいが、前ブロック１と同様に、作業者による運搬等を考慮すると中間ブロック３の重量は約４０ｋｇ以下とするのが望ましい。このため中間ブロック３の前後方向の長さは３００ｍｍ以下とするのが好ましく、本実施形態では前後方向の長さは２５０ｍｍである。なお、前後方向の長さの異なる中間ブロック３を２種類以上準備し適宜組み合わせ使用しても構わない。
【００３４】
（後ブロック）
図３（ａ），（ｂ），（ｃ）に、本発明に係るブロックユニットＵの後ブロック２の正面図、上面図、右側面図を示す。
【００３５】
図３に示す後ブロック２の基本構造は、図１に示す前ブロック１の前後を逆にした構造である。すなわち、左右方向に所定間隔を空けて対向配置された一対の側壁２２，２３と、側壁２２，２３の後側端同士を接続する後壁２１とを有し、一対の側壁２２，２３と後壁２１とはコンクリート材で一体に成形されている。一対の側壁２２，２３及び後壁２１の上端面及び下端面はそれぞれ平行な同一平面上に位置付けられている。そして、図３（ｂ）に示すように、一対の側壁２２，２３の対向する内壁面２２１，２３１は、前方向に向かって互いに離れる方向に傾斜している。すなわち、各々の側壁２２，２３は、厚さ（左右方向の長さ）が後側から前側に向かって徐々に薄くなる形状を有している。一方の側壁２２の前端面２２２の左右方向中央部には水平断面が略半円状の突条２２３が上端から下端まで連続して設けられている。また、他方の側壁２３の前端面２３２の左右方向中央部には水平断面が略半円状の溝部２３３が上端から下端まで連続して設けられている。この突条２２３の外形と溝部２３３の内形とは略同一形状とされ係合可能とされている。
【００３６】
一方、前ブロック１の前壁１１の前面１１１と異なって、後ブロック２の後壁２１の後面は割裂状とする必要はない。後壁２１は小口止め壁の施工後は外に露出せず意匠性を考慮する必要がないからである。ただし、後ブロック２を前ブロック１と同一形状とし、施工現場において前後方向反転させることによって前ブロック１及び後ブロック２として兼用可能とするのが望ましい。これにより１種類のブロックを前ブロック１及び後ブロック２として使用でき、ブロックの製造効率を向上させることができる。また施工現場における作業性なども向上する。
【００３７】
このような後ブロック２は、例えば、後ブロック２の形状を溝型とした型枠にコンクリート材を流し込み、振動圧縮、養生、固化させることに作製することができ、後ブロック２の大きさ及び形状に基本的に前ブロック１と同じである。
【００３８】
（小口止めブロックユニットの組み立て）
図４に、小口止めブロックユニットＵの組み立てた上面図を示す。なお、図４に示す組み立て例では前ブロック１を後ブロック２としても用いている。
【００３９】
図４（ａ）に示すブロックユニットＵ１の組み立て例は、前後方向に最短の場合の組み立て例であって、前ブロック１と後ブロック２とが前後方向に連結されている。具体的には、前ブロック１の一対の側壁１２，１３の後端面１２２，１３２に形成された溝部１２３及び突条１３３と、後ブロック２の一対の側壁２２，２３の前端面２２２，２３２に形成された突条２２３及び溝部２３３とが各々係合し、前ブロック１の側壁１２，１３の後端面１２２，１３２と後ブロック２の側壁２２，２３の前端面２２２，２３２とが当接するように連結される。このとき前ブロック１及び後ブロック２の上端面及び下端面は互いに平行な同一平面上に位置付けられる。前ブロック１と後ブロック２とがこのように連結されることによって、前壁１１と、後壁２１と、一対の側壁１２，１３と、一対の側壁２２，２３とで空洞部４１が形成される。後述するようにこの空洞部４１にはブロックユニットＵ１の組み立て後にコンクリートが胴込めされる。
【００４０】
図４（ｂ）に示すブロックユニットＵ２の組み立て例は、前ブロック１と後ブロック２との間に１つの中間ブロック３を挿入した場合の組み立て例である。具体的には、前ブロック１の一対の側壁１２，１３の後端面１２２，１３２に形成された溝部１２３及び突条１３３と、中間ブロック３の一対の側壁３１，３２の前端面３１３，３２３に形成された突条３１４及び溝部３２４とが各々係合し、前ブロック１の側壁１２，１３の後端面１２２，１３２と中間ブロック３の側壁３１，３２の前端面３１３，３２３とが当接するように連結する。また、中間ブロック３の一対の側壁３１，３２の後端面３１５，３２５に形成された溝部３１６及び突条３２６と後ブロック２の一対の側壁２２，２３の前端面２２２，２３２に形成された突条２２３及び溝部２３３とが各々係合し、中間ブロック３の側壁３１，３２の後端面３１５，３２５と後ブロック２の側壁２２，２３の前端面２２２，２３２とが当接するように連結する。このとき前ブロック１、中間ブロック３及び後ブロック２の上端面及び下端面は互いに平行な同一平面上に位置付けられる。前ブロック１、中間ブロック３、後ブロック２がこのように連結されることによって、前壁１１と、接続部３３と、一対の側壁１２，１３とで空洞部４２が形成され、また、後壁２１と、接続部３３と、一対の側壁２２，２３とで空洞部４３が形成される。これらの空洞部４２，４３にはブロックユニットＵ２の組み立て後にコンクリートが胴込めされる。
【００４１】
図４（ｃ）は、前ブロック１と後ブロック２との間に複数個の中間ブロック３ａ，３ｂ・・を挿入した場合の組み立て例である。前ブロック１と後ブロック２との間に所望個の中間ブロック３ａ，３ｂ・・・を挿入し連結することによって小口止めブロックユニットＵ３の前後方向の長さが調整可能となる。
【００４２】
前ブロック１と中間ブロック３との連結及び中間ブロック３と後ブロック２との連結については前述と同様であるのでここでは説明を省略し、中間ブロック３ａ，３ｂ同士の連結について以下説明する。
【００４３】
前後方向前側の中間ブロック３ａの一対の側壁３１ａ，３２ａの後端面３１５ａ，３２５ａに形成された溝部３１６ａ及び突条３２６ａと、前後方向後側の中間ブロック３ｂの一対の側壁３１ｂ、３２ｂの前端面３１３ｂ，３２３ｂに形成された突条３１４ｂ及び溝部３２４ｂとが各々係合し、前側の中間ブロック３ａの側壁３１ａ，３２ａの後端面３１５ａ，３２５ａと後側の中間ブロック３ｂの側壁３１ｂ、３２ｂの前端面３１３ｂ，３２３ｂとが当接するように連結させる。このとき２つの中間ブロック３ａ，３ｂの上端面及び下端面は互いに平行な同一平面上に位置付けられる。中間ブロック３ａ，３ｂがこのように連結されることによって、中間ブロック３ａの接続部３３ａと、中間ブロック３ｂの接続部３３ｂと、一対の側壁３１ａ，３２ａと、一対の側壁３１ｂ、３２ｂとで空洞部４４が形成される。この空洞部４４にはブロックユニットＵ３の組み立て後にコンクリートが胴込めされる。
【００４４】
（小口止め壁）
図５に、本発明のブロックユニットＵを用いた小口止め壁構造の一例を示す垂直断面図を示す。図５に示す小口止め壁Ｗは、基礎地盤の上に設置された基礎ブロック６上に本発明のブロックユニットＵが所要段数に積み上げた構造を有する。基礎ブロック６は水平面に対して所定角度傾斜した天面６１を有し、天面６１上にブロックユニットＵが所要段数積み上げられ小口止め壁Ｗとされる。小口止め壁Ｗの各段は各々のブロックユニットＵから構成され、小口止め壁Ｗの勾配θは基礎ブロック６の天面６１の傾斜角度によって制御される。
【００４５】
小口止め壁Ｗの勾配θは地山の勾配よりも通常は大きいため、小口止め壁Ｗの各段を構成するブロックユニットＵの前後方向の長さは上段の方が下段よりも短くなる。本発明のブロックユニットＵを用いた小口止め壁構造では、前ブロック１と後ブロック２との間に所望数（ゼロを含む）の中間ブロック３を挿入可能であるので、小口止め壁Ｗを構成する各段のブロックユニットＵの前後方向の長さ調整が可能である。しかも、本発明のブロックユニットＵは最小３種類のブロック、より現実的には前ブロック１と後ブロック２を共通のブロックとすれば最小２種類のブロックで足り、ブロックの生産効率及び施工現場での作業性の向上が図れる。
【００４６】
小口止め壁Ｗの施工手順について説明する。まず地山を堀削して基礎部を造作し、基礎部の上面に基礎ブロック６を設置する。前述のように、基礎ブロック６の天面６１の傾斜角度によって積み上げる小口止め壁Ｗの勾配θが定まるので、小口止め壁Ｗの勾配θが所望の勾配となるよう基礎ブロック６を選択決定する。次いで、本発明のブロックユニットＵを用いて各段を順に形成していく。具体的には、各段の最も前側に前ブロック１が配置され、最も後側に後ブロック２が配置され、各々の段の前壁１１から後壁２１までの長さが所望長さとなるよう前ブロック１と後ブロック２との間に中間ブロック３が適宜挿入される。
【００４７】
次に、積み上げられたブロックユニットＵの空洞部４１〜４４（図４に図示）にコンクリートを流し込み、養生・固化させて胴込めコンクリートとする。ブロックユニットＵに形成される空洞部４１〜４４は上面及び下面が開放されているので、上下に位置する空洞部４１〜４４は連通しており、コンクリートを上段のブロックユニットＵの空洞部の開口から流し込めば下段のブロックユニットＵの空洞部まで充填される。空洞部４１〜４４に流し込んだコンクリートの各々の空洞部４１〜４４への円滑な充填を図る観点からはコンクリートに従来公知の振動手段を用いて振動を加えることが好ましい。
【００４８】
小口止め壁Ｗと小口止め壁Ｗとの間に積み上げられる擁壁（不図示）は、従来公知のブロックを用いて谷積みや布積みなど従来公知の積み上げ方法で形成することができる。当該擁壁は小口止め壁Ｗが完成した後に形成してもよいし、あるいは小口止め壁Ｗがある高さまで積み上げられたところで当該高さまで積み上げるようにしてもよい。
【００４９】
（その他）
以上説明した実施形態では前ブロック１、後ブロック２、中間ブロック３はそれぞれ１種類としたが、各ブロックは２種類以上であっても構わない。例えば、前後方向の長さの異なる中間ブロックを準備し、施工現場において適宜選択使用できるようにしても構わない。
【００５０】
また、ブロックユニットＵを積み上げる際に上下に位置するブロックの位置決めを容易とするために、各ブロックの上端面及び下端面に凸部や凹部などの互いに係合可能な部分を設けてもよい。すなわち、ブロックを積み上げる際に、上側のブロックの下端面に形成された係合部分を下側のブロックの上端面に形成された係合部分に係合させて上側のブロックの位置決めを行うようにしてもよい。
【００５１】
また、小口止め壁の後壁と地山の表面と間に空間が生じる場合などには、当該空間に裏込めコンクリートや裏込め材を充填するのが望ましい。
【産業上の利用可能性】
【００５２】
本発明の小口止めブロックユニットによれば、施工現場における作業性が向上し、また工事期間の短縮化が図れ、さらには安全性の向上が図れる。
【符号の説明】
【００５３】
１    前ブロック
２    後ブロック
３    中間ブロック
１１    前壁
１１１    前面
１２，１３    前側側壁
２１    後壁
２２，２３    後側側壁
３１，３２    中間側壁
３３    接続部
４１〜４４  空洞部
Ｕ，Ｕ１〜Ｕ３    小口止めブロックユニット
Ｗ    小口止め壁
【図１】
2020060006.tif 000003
【図２】
2020060006.tif 000004
【図３】
2020060006.tif 000005
【図４】
2020060006.tif 000006
【図５】
2020060006.tif 000007